(57)【要約】  ２つの変速目標値に対して３つの制御操作量があったとしても変速モデルを用いて自動変速機の所望の変速を実行する。  自動変速機の運動方程式の拘束条件としてトルク分担率を設定したので、変速制御において難しいとされる係合装置のトルクの受け渡しを制御するのに適しており、且つその運動方程式を解くことができる。見方を換えれば、トルクの受け渡しを表現したトルク分担率を拘束条件としたので、何れの変速パターンにも１つの変速モデルにて対応することができる。
2014020685.tif 000002
【特許請求の範囲】
【請求項１】
駆動力源からの動力を受ける入力軸と駆動輪に動力を伝達する出力軸との間で回転とトルクとを伝達する複数の係合装置を有して、該係合装置の係合と解放との切替えによって変速が実行される自動変速機を備え、変速目標値を実現させる制御操作量を決定する予め定められた変速モデルを用いて前記自動変速機の変速を実行する車両の変速制御装置であって、
前記変速目標値を、前記出力軸側の回転部材上のトルクと、前記入力軸側の回転部材の速度変化量との２つの値で設定し、
前記制御操作量を、前記入力軸側の回転部材上のトルクと、前記変速時における係合側の係合装置のトルク容量と、前記変速時における解放側の係合装置のトルク容量との３つの値で設定し、
前記変速時に前記係合側の係合装置と前記解放側の係合装置とで受け持つ伝達トルクのトルク分担率を設定することで、
前記変速モデルを用いて前記自動変速機の変速を実行することを特徴とする車両の変速制御装置。
【請求項２】
前記変速モデルは、前記変速目標値と前記制御操作量とを含む前記自動変速機の運動方程式と、前記トルク分担率を表す関係とを用いて、前記変速目標値に基づいて前記制御操作量を算出するものであることを特徴とする請求項１に記載の車両の変速制御装置。
【請求項３】
前記係合側の係合装置及び前記解放側の係合装置のうちの所定の係合装置のトルク容量の決定には、前記トルク分担率としてタイアップ度合分を加えたトルク分担率を用いることを特徴とする請求項１又は２に記載の車両の変速制御装置。
【請求項４】
前記所定の係合装置は、差回転が生じていない状態にある係合装置であることを特徴とする請求項３に記載の車両の変速制御装置。
【請求項５】
前記自動変速機の変速時のイナーシャ相中における前記駆動力源によるトルクダウン量が少ない程、或いは該トルクダウンの応答遅れが大きい程、前記タイアップ度合を大きくすることを特徴とする請求項３又は４に記載の車両の変速制御装置。
【請求項６】
イナーシャ相中は、前記所定の係合装置のトルク容量の決定に用いた前記タイアップ度合分を加えたトルク分担率の符号を反転させた上で、前記変速モデルを用いて前記自動変速機の変速を実行することを特徴とする請求項３乃至５の何れか１項に記載の車両の変速制御装置。
【発明の詳細な説明】
【技術分野】
【０００１】
本発明は、自動変速機の変速制御を実行する車両の変速制御装置に係り、特に、変速モデルを用いて自動変速機の変速を実行する技術に関するものである。
【背景技術】
【０００２】
駆動力源からの動力を受ける入力軸と駆動輪に動力を伝達する出力軸との間で回転とトルクとを伝達する複数の係合装置を有して、その係合装置の係合と解放との切替えによって変速が実行される自動変速機が良く知られている。一般的に、このような自動変速機では、実車にて評価しながら各ギヤ段毎に制御対象に対して操作する要素（例えばトルク等）の要求値（すなわち制御操作量）の適合を行い、その適合結果により各ギヤ段毎に予め求められた制御マップから決定される制御操作量を用いて変速が実行される。しかしながら、自動変速機の多段化が進む中では、適合作業に非常に多くの労力が必要となり、制御マップを基にした変速制御の態様を採用することが困難化してきている。その為、自動変速機を構成する各回転要素における運動方程式を基にした変速制御の態様である変速モデル制御が提案されている。このような変速モデル制御では、変速時に実現したい変化態様（変速目標値）に基づいて予め求められた運動方程式を解くことで制御操作量を一意に決定し、その決定された制御操作量を用いて変速が実行される。例えば、特許文献１には、イナーシャ相制御において、変速目標値として変速機の入力軸回転速度の目標値を設定すると共に、制御操作量として係合側のクラッチトルクの要求値を変速モデルを用いて算出して変速を実行する技術、及び変速目標値として変速機の入力軸回転速度と出力軸トルクとの各目標値を設定すると共に、制御操作量として係合側のクラッチトルクの要求値と解放側のクラッチトルクの要求値とを変速モデルを用いて算出して変速を実行する技術が記載されている。
【先行技術文献】
【特許文献】
【０００３】
【特許文献１】特開２０００−９７３２５号公報
【発明の概要】
【発明が解決しようとする課題】
【０００４】
ところで、前記特許文献１に記載の技術は、１つの変速目標値に対して１つの制御対象を操作することで、或いは２つの変速目標値に対して２つの制御対象を操作することで変速を実行している。しかしながら、この特許文献１に記載の技術では、イナーシャ相中のイナーシャトルクを相殺する為に（換言すれば、イナーシャ相中の出力軸トルクが実質的に変化しないように）、解放側の係合装置の油圧を、解放に向けて減じた後に一時的に再度係合に向けて上昇させており、変速完了が遅くなってドライバビリティが悪化してしまう可能性がある。一方で、上記イナーシャトルクを相殺する為に、イナーシャ相中にてエンジントルクを一時的に減じる所謂エンジントルクダウン制御という手法が良く知られている。しかしながら、上記特許文献１に記載の技術では、エンジンが制御対象として運動方程式に組み込まれていない。つまり、特許文献１に記載の技術では、成り行きのエンジントルクに対して運動方程式を解いている為、特許文献１に記載の変速モデル制御では、解放側の係合装置の一時的な油圧上昇に替えて、エンジントルクダウン制御によってイナーシャトルクを相殺することができない。この際、変速モデル制御とは別にエンジントルクダウン制御を実行することは可能であるが、そうすると変速モデル制御の全体が崩れ再度運動方程式から解を導くこととなり、結局、変速完了が遅くなったり、変速ショックが増大してドライバビリティが悪化してしまう可能性がある。他方で、エンジントルクについても制御操作量として変速モデル制御にて一意に決定しようとすると、２つの変速目標値に対して３つの制御操作量となり、運動方程式を解くことができず、変速モデル制御を用いた自動変速機の変速が実行できなくなる。尚、上述したような課題は未公知であり、２つの変速目標値に対して３つの制御操作量がある場合に、パワーオンアップシフト、パワーオフアップシフト、パワーオンダウンシフト、及びパワーオフダウンシフトといった何れの変速パターン（変速様式）にも１つの変速モデルにて対応できるように、運動方程式を解く為の拘束条件を適切に設定することについて未だ提案されていない。【０００５】
本発明は、以上の事情を背景として為されたものであり、その目的とするところは、２つの変速目標値に対して３つの制御操作量があったとしても変速モデルを用いて自動変速機の所望の変速を実行することができる車両の変速制御装置を提供することにある。
【課題を解決するための手段】
【０００６】
前記目的を達成する為の第１の発明の要旨とするところは、(a) 駆動力源からの動力を受ける入力軸と駆動輪に動力を伝達する出力軸との間で回転とトルクとを伝達する複数の係合装置を有して、その係合装置の係合と解放との切替えによって変速が実行される自動変速機を備え、変速目標値を実現させる制御操作量を決定する予め定められた変速モデルを用いて前記自動変速機の変速を実行する車両の変速制御装置であって、(b) 前記変速目標値を、前記出力軸側の回転部材上のトルクと、前記入力軸側の回転部材の速度変化量との２つの値で設定し、(c) 前記制御操作量を、前記入力軸側の回転部材上のトルクと、前記変速時における係合側の係合装置のトルク容量と、前記変速時における解放側の係合装置のトルク容量との３つの値で設定し、(d) 前記変速時に前記係合側の係合装置と前記解放側の係合装置とで受け持つ伝達トルクのトルク分担率を設定することで、(e) 前記変速モデルを用いて前記自動変速機の変速を実行することにある。上記トルク分担率は、前記変速時に前記係合側の係合装置と前記解放側の係合装置とで受け持つ伝達トルクを前記入力軸側の回転部材上のトルクに置き換えたときの両係合装置にて分担するその伝達トルクのトルク分担率である。
【発明の効果】
【０００７】
このようにすれば、２つの変速目標値を実現する為に３つの制御操作量を決定する必要がある場合に、何らかの拘束条件を設定しなければそれら制御操作量を決定することができないことに対して、解放側の係合装置と係合側の係合装置とで受け持つ伝達トルクのトルク分担率を拘束条件としたので、変速制御において難しいとされる解放側の係合装置と係合側の係合装置とのトルクの受け渡し（すなわち変速進行度）を制御するのに適しており、且つ３つの制御操作量を決定することができる。見方を換えれば、３つの制御操作量を決定する為に何れかの制御操作量を予め定めた所定の値とする場合には、その所定の値としては各変速パターン毎に合わせた値とするなど無数にある。これに対して、本発明では、トルクの受け渡しを表現した前記トルク分担率を拘束条件としたので、何れの変速パターンにも１つの変速モデルにて対応することができる。具体的には、係合側の係合装置のトルク容量及び解放側の係合装置のトルク容量の一方のみを拘束条件とすると、タイアップやある回転部材の吹き上がりが発生する可能性があるが、変速進行度を制御するのに適した前記トルク分担率を拘束条件とすることで、上記タイアップや吹き上がりの発生を抑制したり、反対に、敢えてタイアップや吹き上がりを発生させる制御の制御性が向上する。また、入力軸側の回転部材上のトルクを拘束条件とすると、駆動力源の出力トルクを一時的に変化させるような制御を実行できなくなる可能性があるが、本発明では、例えばイナーシャ相中にて駆動力源の出力トルクを一時的に減じるようなトルクダウン制御を適切に実行することができる。このように、本発明では、２つの変速目標値に対して３つの制御操作量があったとしても、変速モデルを用いて３つの制御操作量を適切に決定し、２つの変速目標値を実現するような自動変速機の所望の変速を実行することができる。【０００８】
ここで、第２の発明は、前記第１の発明に記載の車両の変速制御装置において、前記変速モデルは、前記変速目標値と前記制御操作量とを含む前記自動変速機の運動方程式と、前記トルク分担率を表す関係とを用いて、前記変速目標値に基づいて前記制御操作量を算出するものである。このようにすれば、変速制御において難しいとされる解放側の係合装置と係合側の係合装置とのトルクの受け渡しに関連する制御を運動方程式に反映させることができ、３つの制御操作量を適切に決定することができる。【０００９】
また、第３の発明は、前記第１の発明又は第２の発明に記載の車両の変速制御装置において、前記係合側の係合装置及び前記解放側の係合装置のうちの所定の係合装置のトルク容量の決定には、前記トルク分担率としてタイアップ度合分を加えたトルク分担率を用いることにある。このようにすれば、変速中のイナーシャ相の開始時や終了時などのように変速目標値が大きく切り替わるときに、解放側の係合装置及び係合側の係合装置のうちの一方の係合装置のトルク容量の制御操作量が零になっていると、制御操作量に対する実際のトルク容量の応答遅れやばらつき等により実際の出力軸側の回転部材上のトルクや入力軸側の回転部材の速度変化が変速目標値の変化よりも急変して変速ショックが増大する可能性があることに対して、上記トルクの受け渡しをタイアップ側に制御することで、そのトルクの受け渡しを滑らかにでき、所定の係合装置にてその急変する分を受け持つことができて、変速目標値が大きく切り替わるときに増大する可能性がある変速ショックを抑制することができる。【００１０】
また、第４の発明は、前記第３の発明に記載の車両の変速制御装置において、前記所定の係合装置は、差回転が生じていない状態にある係合装置である。このようにすれば、タイアップさせる為に係合装置のトルク容量を増加させても、例えばイナーシャ相中を除き、伝達トルクが増加しないすなわち実際の出力軸側の回転部材上のトルクには影響を与えない。【００１１】
また、第５の発明は、前記第３の発明又は第４の発明に記載の車両の変速制御装置において、前記自動変速機の変速時のイナーシャ相中における前記駆動力源によるトルクダウン量が少ない程、或いはそのトルクダウンの応答遅れが大きい程、前記タイアップ度合を大きくすることにある。このようにすれば、変速目標値が比較的大きく切り替わる程、或いは変速目標値の変化よりも実際値が急変し易い程、上記トルクの受け渡しがよりタイアップ側に制御されるので、変速ショックを一層適切に抑制することができる。【００１２】
また、第６の発明は、前記第３の発明乃至第５の発明の何れか１つに記載の車両の変速制御装置において、イナーシャ相中は、前記所定の係合装置のトルク容量の決定に用いた前記タイアップ度合分を加えたトルク分担率の符号を反転させた上で、前記変速モデルを用いて前記自動変速機の変速を実行することにある。このようにすれば、タイアップ度合分を加えたトルク分担率を用いることでイナーシャ相中において変速目標値を実現できない可能性があることに対して、イナーシャ相中は所定の係合装置にて実際に発生できるトルク方向に合致させるようにトルク分担率の符号を反転させるので、トルクの受け渡しを滑らかにしつつ、実際のイナーシャ相中にも変速目標値を成立させる制御操作量を決定することができ、任意の変速挙動を実現できる。
【図面の簡単な説明】
【００１３】
【図１】本発明が適用される車両における動力伝達経路の概略構成を説明する図であると共に、車両に設けられた制御系統の要部を説明する図である。
【図２】電子制御装置の制御機能の要部を説明する機能ブロック線図である。
【図３】電子制御装置の制御作動の要部すなわち２つの変速目標値に対して３つの制御操作量があったとしても変速モデルを用いて自動変速機の所望の変速を実行する為の制御作動を説明するフローチャートである。
【図４】図３のフローチャートに示す制御作動を実行した場合のタイムチャートであって、パワーオンアップシフト時の一例である。
【図５】図３のフローチャートに示す制御作動を実行した場合のタイムチャートであって、パワーオンアップシフト時にタイアップをさせたときの一例である。
【図６】図３のフローチャートに示す制御作動を実行した場合のタイムチャートであって、パワーオンアップシフト時にタイアップさせ且つイナーシャ相中に所定の係合装置のトルク分担率の符号を反転させたときの一例である。
【図７】電子制御装置の制御作動の要部すなわち自動変速機の変速モードに適したトルク分担率にて変速を適切に実行する為の制御作動を説明するフローチャートである。
【図８】電子制御装置の制御作動の要部すなわちワンウェイクラッチの係合或いは解放が関与する変速を適切に実行する為の制御作動を説明するフローチャートである。
【発明を実施するための形態】
【００１４】
本発明において、好適には、前記車両は、例えば前記駆動力源の動力を前記自動変速機などの動力伝達装置を介して前記駆動輪へ伝達するものである。また、前記自動変速機は、所定の係合装置の係合と解放との切替えによって各々異なる変速比（ギヤ比）を有する複数の変速段（ギヤ段）が択一的に形成される有段式自動変速機である。例えば、この有段式自動変速機は、公知の遊星歯車式自動変速機により構成される。この遊星歯車式自動変速機における係合装置としては、油圧アクチュエータによって係合させられる多板式、単板式のクラッチやブレーキ、或いはバンドブレーキ等の係合装置が広く用いられる。また、前記車両は、例えば複数の係合装置の油圧アクチュエータにそれぞれ油圧を供給する油圧制御回路を備えている。この油圧制御回路は、例えばリニアソレノイドバルブやＯＮ−ＯＦＦソレノイドバルブ等を備え、それらソレノイドバルブの出力油圧を直接的或いはシフトコントロールバルブ等を介して間接的に係合装置の油圧アクチュエータにそれぞれ供給する。尚、上記「油圧を供給する」とは、「油圧を作用させる」或いは「ある油圧に制御された作動油を供給する」ことを意味する。
【００１５】
また、好適には、前記駆動力源としては、例えばガソリンエンジンやディーゼルエンジン等のエンジンが用いられる。或いは、前記駆動力源としては、例えば電動機等の原動機が単独で或いは上記エンジンと組み合わせて用いられる。
【００１６】
以下、本発明の実施例を図面を参照しつつ詳細に説明する。
【実施例１】
【００１７】
図１は、本発明が適用される車両１０に備えられたエンジン１２から駆動輪２６までの動力伝達経路の概略構成を説明する図であると共に、車両１０に設けられた制御系統の要部を説明する図である。図１において、駆動力源としてのエンジン１２により発生させられた動力は、トルクコンバータ１４を経て入力軸１６から自動変速機１８に入力され、自動変速機１８の出力軸２０から差動歯車装置（ディファレンシャルギヤ）２２や一対の車軸（ドライブシャフト）２４等を順次介して左右の駆動輪２６へ伝達される。【００１８】
自動変速機１８は、車体に取り付けられる非回転部材としてのトランスミッションケース内において１組乃至複数組の遊星歯車装置と複数の係合装置（係合要素）とを有し、その係合装置によって複数のギヤ段が択一的に成立させられる公知の遊星歯車式自動変速機である。例えば、自動変速機１８は、複数の係合装置の何れかの掴み替えにより（すなわち係合装置の係合と解放との切替えにより）変速が実行される、所謂クラッチツゥクラッチ変速を行う有段変速機である。複数の係合装置はそれぞれ、エンジン１２からの動力を受ける入力軸１６と駆動輪２６に動力を伝達する出力軸２０との間で回転とトルクとを伝達する油圧式の摩擦係合装置である。この入力軸１６は、自動変速機１８の入力軸であるが、トルクコンバータ１４のタービン翼車によって回転駆動されるタービン軸でもある。【００１９】
前記油圧式の摩擦係合装置は、油圧制御回路２８によってそれぞれ係合と解放とが制御され、その油圧制御回路２８内のソレノイドバルブ等の調圧によりそれぞれのトルク容量すなわち係合力が変化させられて、それが介挿されている両側の部材を選択的に連結するクラッチやブレーキである。ここで、係合装置のトルク容量（以下、クラッチトルクという）は、例えば係合装置の摩擦材の摩擦係数や摩擦板を押圧する係合油圧によって決まるものである。係合装置を滑らすことなく（すなわち係合装置に差回転速度を生じさせることなく）入力軸１６と出力軸２０との間でトルク（例えば入力軸１６に入力される変速機入力トルクＴiすなわちタービントルクＴt）を伝達する為には、そのトルクに対して各係合装置にて受け持つ必要がある伝達トルク分（すなわち係合装置の分担トルク）が得られるトルク容量が必要になる。但し、伝達トルク分が得られるトルク容量においては、トルク容量を増加させても伝達トルクは増加しない。尚、本実施例では、便宜上、クラッチトルクと係合油圧とを同義に取り扱うこともある。【００２０】
自動変速機１８におけるギヤ段の一例としては、例えばクラッチＣ１とブレーキＢ１との係合により低車速側ギヤ段（ローギヤ段例えば第１速ギヤ段）が成立させられ、クラッチＣ１とブレーキＢ２との係合により高車速側ギヤ段（ハイギヤ段例えば第２速ギヤ段）が成立させられる。従って、上記ローギヤ段とハイギヤ段との間の変速時には、ブレーキＢ１とブレーキＢ２とで掴み替えが行われる。本実施例では、変速時に掴み替えが行われる係合装置のうちで、ローギヤ段側の成立に関与する係合装置（例えばブレーキＢ１）をローギヤ段係合装置と称し、ハイギヤ段側の成立に関与する係合装置（例えばブレーキＢ２）をハイギヤ段係合装置と称する。ローギヤ段係合装置は、ローギヤ段からハイギヤ段へのアップシフト時には解放側の係合装置となり、ハイギヤ段からローギヤ段へのダウンシフト時には係合側の係合装置となる。一方で、ハイギヤ段係合装置は、上記アップシフト時には係合側の係合装置となり、上記ダウンシフト時には解放側の係合装置となる。【００２１】
図１に戻り、車両１０には、例えば自動変速機１８の変速制御などに関連する変速制御装置を含む電子制御装置７０が備えられている。電子制御装置７０は、例えばＣＰＵ、ＲＡＭ、ＲＯＭ、入出力インターフェース等を備えた所謂マイクロコンピュータを含んで構成されており、ＣＰＵはＲＡＭの一時記憶機能を利用しつつ予めＲＯＭに記憶されたプログラムに従って信号処理を行うことにより車両１０の各種制御を実行する。例えば、電子制御装置７０は、エンジン１２の出力制御、自動変速機１８の変速制御等を実行するようになっており、必要に応じてエンジン制御用や油圧制御用（変速制御用）等に分けて構成される。また、電子制御装置７０には、各種センサ（例えば各回転速度センサ５０，５２，５４、アクセル開度センサ５６、スロットル弁開度センサ５８、シフトセンサ６０など）により検出された各種信号（例えばエンジン１２の回転速度を表すエンジン回転速度ωe，入力軸１６の回転速度を表すタービン回転速度ωtすなわち変速機入力回転速度ωi，車速Ｖに対応する出力軸２０の回転速度を表す変速機出力回転速度ωo、車両１０の駆動力（駆動トルク）に対する運転者の要求量を表すアクセル開度Ａcc、スロットル弁開度θth、シフトレバー或いはパドルスイッチによるシフト操作ＳＨなど）が、それぞれ供給される。また、電子制御装置７０からは、例えばエンジン１２の出力制御の為のエンジン出力制御指令信号Ｓe、自動変速機１８の油圧アクチュエータを制御する油圧制御回路２８を作動させる為の油圧指令信号Ｓpなどが、それぞれ出力される。【００２２】
図２は、電子制御装置７０による制御機能の要部を説明する機能ブロック線図である。図２において、エンジン出力制御手段すなわちエンジン出力制御部７２は、例えば要求されたエンジントルクＴe（以下、要求エンジントルクＴedem）が得られるように、スロットル制御の為にスロットルアクチュエータにより電子スロットル弁を開閉制御する他、燃料噴射量制御の為に燃料噴射装置による燃料噴射量を制御し、点火時期制御の為にイグナイタ等の点火装置を制御するエンジン出力制御指令信号Ｓeを出力する。エンジン出力制御部７２は、例えばアクセル開度Ａccをパラメータとして車速Ｖと要求駆動力Ｆdemとの予め記憶された不図示の関係（駆動力マップ）から実際のアクセル開度Ａcc及び車速Ｖに基づいて要求駆動力Ｆdemを算出する。そして、エンジン出力制御部７２は、例えば駆動輪２６のタイヤ有効半径、現在の自動変速機１８のギヤ段におけるギヤ比、出力軸２０よりも駆動輪２６側の動力伝達経路における終減速比、及びトルクコンバータ１４のトルク比ｔに基づいて、要求駆動力Ｆdemが得られる要求エンジントルクＴedemを算出する。尚、トルクコンバータ１４のトルク比ｔは、例えば速度比（＝タービン回転速度ωt／ポンプ回転速度ωp（エンジン回転速度ωe））とトルク比ｔ、効率、及び容量係数とのそれぞれの予め記憶された公知の関係（トルクコンバータ１４の作動特性図）から実際の速度比ｅに基づいて算出される。【００２３】
変速制御手段すなわち変速制御部７４は、自動変速機１８の変速制御を実行する。具体的には、変速制御部７４は、車速Ｖ及びアクセル開度Ａccを変数として予め記憶された公知の関係（変速マップ、変速線図）から実際の車速Ｖ及びアクセル開度Ａccで示される車両状態に基づいて変速判断を行う。そして、変速制御部７４は、自動変速機１８の変速を実行すべきと判断した場合には、変速すべきギヤ段が得られるように自動変速機１８の自動変速制御を実行する。例えば、変速制御部７４は、判断したギヤ段が達成されるように、自動変速機１８の変速に関与する係合装置を係合及び／又は解放させる油圧指令信号Ｓpを油圧制御回路２８へ出力する。この油圧指令信号Ｓpとしては、例えばローギヤ段係合装置のトルク容量（以下、ローギヤ段側クラッチトルクという）を得る為の油圧指令値、及びハイギヤ段係合装置のトルク容量（以下、ハイギヤ段側クラッチトルクという）を得る為の油圧指令値である。【００２４】
ここで、変速制御としては、例えば変速ショックや変速時間等が適切であるかを実車にて評価しつつ適合により予め定められた制御マップから、変速時のトルク容量（或いは油圧指令値）を決定して自動変速機１８の変速を実行する手法がある。このような制御マップを用いる手法では、パワーオンアップシフト、パワーオフアップシフト、パワーオンダウンシフト、及びパワーオフダウンシフトのうちのどの変速パターンであるか、及びどの変速段間での変速であるかによって、各々異なる制御マップを作成する必要がある。その為、自動変速機１８のギヤ段が多段化される程、上記適合作業に多くの労力等が必要となってくる。【００２５】
そこで、本実施例では、変速制御として、上記制御マップを用いる手法に替えて、変速目標値を実現させる制御操作量を決定する予め定められた変速モデルを用いて自動変速機１８の変速を実行する手法を採用する。上記変速目標値は、変速時に実現したい変化態様を定める要素（例えば変速時間、駆動力等）の目標値である。上記制御操作量は、制御対象に対して操作する要素（エンジントルク、クラッチトルク等）の要求値である。【００２６】
以下において、変速モデルを用いた自動変速機１８の変速制御について詳しく説明する。自動変速機１８の変速中における運動方程式は、次式（１）及び次式（２）で表される。この式（１）及び式（２）は、自動変速機１８を構成する相互に連結された各回転要素毎の運動方程式、及び自動変速機１８を構成する遊星歯車装置における関係式から導き出されたものである。上記各回転要素毎の運動方程式は、各回転要素におけるイナーシャと回転速度時間変化率との積で表されるトルクを、遊星歯車装置の３つの部材（サンギヤ、キャリヤ、リングギヤ）、及び係合装置の両側の部材のうちで各回転要素に関与する部材に作用するトルクにて規定した運動方程式である。また、遊星歯車装置における関係式は、遊星歯車装置の歯車比（＝サンギヤの歯数／リングギヤの歯数）を用いて、その遊星歯車装置の３つの部材におけるトルクの関係と回転速度時間変化率の関係とを各々規定した関係式である。この式（１）及び式（２）において、dωt/dtは、タービン回転速度ωt（すなわち変速機入力回転速度ωi）の時間微分すなわち時間変化率であり、入力軸１６側の回転部材の速度変化量としての入力軸１６の角加速度（以下、入力軸角加速度）を表している（図面乃至数式においては時間変化率をドットで示している、以下の説明において同じ）。dωo/dtは、変速機出力回転速度ωoの時間変化率であり出力軸角加速度を表している。Ｔtは、入力軸１６側の回転部材上のトルクとしての入力軸１６上のトルクであるタービントルクすなわち変速機入力トルクＴiを表している。このタービントルクＴtは、トルクコンバータ１４のトルク比ｔを考慮すればエンジントルクＴe（＝Ｔt／ｔ）と同意である。Ｔoは、出力軸２０側の回転部材上のトルクとしての出力軸２０上のトルクである変速機出力トルクを表している。Ｔclowは、ローギヤ段側クラッチトルクであり、アップシフト時には解放側のクラッチトルクとなり、ダウンシフト時には係合側のクラッチトルクとなる。Ｔchiは、ハイギヤ段側クラッチトルクであり、アップシフト時には係合側のクラッチトルクとなり、ダウンシフト時には解放側のクラッチトルクとなる。ａ1,ａ2,ｂ1,ｂ2,ｃ1,ｃ2,ｄ1,ｄ2はそれぞれ、この式（１）及び式（２）を導き出した際に定数としたものであり、上記各回転要素におけるイナーシャ及び上記遊星歯車装置の歯車比から設計的に定められる係数である（具体的な数値としては、変速パターン毎に異なる）。【００２７】
【数１】
2014020685.tif 000003
【００２８】
前記式（１）及び式（２）は、変速目標値と制御操作量との関係を定式化した自動変速機１８のギヤトレーン運動方程式である。ここでの変速目標値は、変速時間及び駆動力の各目標値を表現でき、ギヤトレーン運動方程式上で取り扱えるものである。本実施例では、変速時間を表現できる要素の一例として、入力軸角加速度dωt/dtを用いている。また、駆動力を表現できる要素の一例として、変速機出力トルクＴoを用いている。つまり、本実施例では、変速目標値を、入力軸角加速度dωt/dtと、変速機出力トルクＴoとの２つの値で設定している。一方で、本実施例では、それら変速目標値を成立させる制御操作量を、タービントルクＴt（エンジントルクＴeも同意）と、ローギヤ段側クラッチトルクＴclowと、ハイギヤ段側クラッチトルクＴchiとの３つの値で設定している。そうすると、運動方程式が前記式（１）及び式（２）の２式で構成されることに対して制御操作量が３つある為に、２つの変速目標値を成立させる制御操作量を一意に解くことはできない。その為、変速モデルを用いて、２つの変速目標値を実現するような自動変速機１８の所望の変速を実行することができない。尚、出力軸角加速度dωo/dtは、回転速度センサ５４の検出値である変速機出力回転速度ωoから算出される。【００２９】
ところで、前記式（１）及び式（２）の運動方程式に、ある拘束条件を追加することで制御操作量を一意に解くことができると考えられる。ここで、自動変速機１８の変速制御において難しいとされることは、解放側の係合装置と係合側の係合装置とのトルクの受け渡し（すなわち変速進行度）を制御することである。一方で、３つの制御操作量を決定する為に何れかの制御操作量を所定の値とする場合には、各変速パターン毎に合わせた所定の値とするなど無数の定め方がある。この所定の値に関し、例えば解放側のクラッチトルク及び係合側のクラッチトルクのうちで一方のみを拘束条件とすると、変速中にタイアップや吹き上がりが発生し易くなったり、また、敢えて変速中にタイアップや吹き上がりを発生させる制御の制御性が低下したりする可能性がある。或いは、例えばエンジントルクの変化態様を拘束条件とすると、イナーシャ相中にエンジントルクを一時的に変化させるようなエンジントルクダウン制御を実行できなくなる可能性がある。そこで、本実施例では、変速中のトルクの受け渡しを表現したり制御するのに適しており、また、何れの変速パターンにも対応することができる、解放側の係合装置と係合側の係合装置とで受け持つ伝達トルクのトルク分担率を、上記拘束条件として設定することを見出した。つまり、変速中のトルクの受け渡しを運動方程式に組み込むことができ、且つ制御操作量を一意に解くことができる、伝達トルクのトルク分担率を上記拘束条件として設定することを見出した。上記トルク分担率は、自動変速機１８の変速時に解放側の係合装置と係合側の係合装置とで受け持つ必要がある合計の伝達トルク（合計伝達トルク）を例えば入力軸１６上のトルク（入力軸上合計伝達トルク）に置き換えたときに、その入力軸上合計伝達トルクに対して両係合装置が各々分担する伝達トルクの割合である。本実施例では、ローギヤ段係合装置のトルク分担率を「ｘlow」とし、ハイギヤ段係合装置のトルク分担率を「ｘhi」として、それぞれのトルク分担率を、変速中のトルクの受け渡しを反映するように時系列で変化するトルク分担率ｘ（例えば０≦ｘ≦１）を用いて次式（３）及び次式（４）のように定義する。
ｘlow ＝ ｘ          ・・・（３）
ｘhi  ＝ １−ｘ      ・・・（４）【００３０】
ローギヤ段側クラッチトルクＴclowとハイギヤ段側クラッチトルクＴchiとの関係式は、入力軸１６上のトルクに置き換えた「Ｔclow」及び「Ｔchi」と、前記式（３）及び式（４）とに基づいて、「ｘ」（＝ｘlow）と「１−ｘ」（＝ｘhi）とを用いて定義することができる。そして、前記式（１）、前記式（２）、及び「Ｔclow」と「Ｔchi」との関係式から、制御操作量である、タービントルクＴt、ローギヤ段側クラッチトルクＴclow、及びハイギヤ段側クラッチトルクＴchiを算出する関係式が導き出される。タービントルクＴt（エンジントルクＴeも同意）は、「ｘ」（＝ｘlow）、「１−ｘ」（＝ｘhi）、入力軸角加速度dωt/dt、及び変速機出力トルクＴoなどを用いた関係式にて表される。同様に、ローギヤ段側クラッチトルクＴclowは、「ｘ」（＝ｘlow）、入力軸角加速度dωt/dt、及び変速機出力トルクＴoなどを用いた関係式にて表される。同様に、ハイギヤ段側クラッチトルクＴchiは、「１−ｘ」（＝ｘhi）、入力軸角加速度dωt/dt、及び変速機出力トルクＴoなどを用いた関係式にて表される。つまり、本実施例の変速モデルは、前記変速目標値と前記制御操作量とを含む自動変速機１８の運動方程式（前記式（１）,（２））と、前記トルク分担率を表す関係（前記式（３）,（４））とを用いて、前記変速目標値に基づいて前記制御操作量を算出するものである。このように、本実施例では、前記式（１）,（２）に、トルク分担率ｘにて設定した拘束条件を追加することで、変速モデルを用いて自動変速機１８の変速を実行する。よって、２つの変速目標値に対して３つの制御操作量があったとしても、上記変速モデルを用いて３つの制御操作量を適切に決定することができる。【００３１】
より具体的には、図２において、変速制御部７４は、自動変速機１８の変速中であるか否かを、例えば実行すべきと判断した変速が未だ終了していないか否かに基づいて判定する。【００３２】
制御操作量算出手段すなわち制御操作量算出部７６は、変速制御部７４により自動変速機１８の変速中であると判定された場合には、上記変速モデルを用いて、前記変速目標値に基づいて前記制御操作量を算出する。具体的には、制御操作量算出部７６は、トルク分担率算出手段すなわちトルク分担率算出部７８と、変速目標値算出手段すなわち変速目標値算出部８０とを備えている。【００３３】
トルク分担率算出部７８は、例えばトルク分担率ｘを変化させる態様が予め定められた関係（変速進行度マップ）から、変速制御開始時（或いは前回算出時）からの経過時間に基づいてトルク分担率ｘを算出する。そして、トルク分担率算出部７８は、前記式（３）及び式（４）から、その算出したトルク分担率ｘに基づいてローギヤ段係合装置のトルク分担率ｘlowとハイギヤ段係合装置のトルク分担率ｘhiとを算出する。尚、上記変速進行度マップは、例えば変速パターン毎や変速段間毎に予め定められている。また、トルク分担率ｘの初期値は、アップシフトでは１とされ、ダウンシフトでは０とされている。【００３４】
変速目標値算出部８０は、例えばイナーシャ相中のタービン回転速度ωt（＝変速機入力回転速度ωi）の変化が変速ショックの抑制と変速時間とを両立させる所定変化となるように入力軸角加速度dωt/dtを変化させる態様が予め定められた関係（入力軸角加速度変化マップ）から、イナーシャ相開始時（或いは前回算出時）からの経過時間に基づいてイナーシャ相中の入力軸角加速度dωt/dtの目標値を算出する。また、変速目標値算出部８０は、例えばイナーシャ相中以外では、タービン回転速度ωt（＝変速機入力回転速度ωi）の変化に基づいて入力軸角加速度dωt/dtの目標値を算出する。加えて、変速目標値算出部８０は、例えば変速機出力トルクＴoを変化させる態様が予め定められた関係（変速機出力トルク変化マップ）から、エンジン出力制御部７２により算出された要求駆動力Ｆdem及び変速制御開始時（或いは前回算出時）からの経過時間に基づいて変速機出力トルクＴoの目標値を算出する。尚、上記入力軸角加速度変化マップ及び変速機出力トルク変化マップは、例えば変速パターン毎や変速段間毎に予め定められている。【００３５】
制御操作量算出部７６は、前記制御操作量を算出する関係式から、トルク分担率算出部７８により算出された係合装置のトルク分担率（ｘ，ｘlow，ｘhi）、及び変速目標値算出部８０により算出された各変速目標値（dωt/dt、Ｔoの各目標値）に基づいて、制御操作量としての、タービントルクＴt（エンジントルクＴeも同意）、ローギヤ段側クラッチトルクＴclow、及びハイギヤ段側クラッチトルクＴchiの各要求値を算出する。【００３６】
エンジン出力制御部７２は、変速制御部７４により自動変速機１８の変速中であると判定された場合には、制御操作量算出部７６により算出されたタービントルクＴt（エンジントルクＴeも同意）の要求値が得られるように、エンジン出力制御指令信号Ｓeを出力する。変速制御部７４は、自動変速機１８の変速を実行すべきと判断した場合には、判断したギヤ段が達成されるように、制御操作量算出部７６により算出されたローギヤ段側クラッチトルクＴclow及びハイギヤ段側クラッチトルクＴchiの各要求値を得る為の油圧指令信号Ｓpを油圧制御回路２８へ出力する。【００３７】
図３は、電子制御装置７０の制御作動の要部すなわち２つの変速目標値に対して３つの制御操作量があったとしても変速モデルを用いて自動変速機１８の所望の変速を実行する為の制御作動を説明するフローチャートであり、例えば数ｍｓｅｃ乃至数十ｍｓｅｃ程度の極めて短いサイクルタイムで繰り返し実行される。図４は、図３のフローチャートに示す制御作動を実行した場合のタイムチャートであって、パワーオンアップシフト時の一例である。【００３８】
図３において、先ず、変速制御部７４に対応するステップ（以下、ステップを省略する）Ｓ１０において、例えば自動変速機１８の変速中であるか否かが判定される。このＳ１０の判断が否定される場合は本ルーチンが終了させられるが肯定される場合（図４のｔ１時点乃至ｔ３時点）はトルク分担率算出部７８に対応するＳ２０において、例えば係合装置のトルク分担率（ｘ，ｘlow，ｘhi）が算出される。次いで、変速目標値算出部８０に対応するＳ３０において、各変速目標値（入力軸角加速度dωt/dt、変速機出力トルクＴoの各目標値）が算出される。次いで、制御操作量算出部７６に対応するＳ４０において、前記制御操作量を算出する関係式から、上記Ｓ２０にて算出された係合装置のトルク分担率、及び上記Ｓ３０にて算出された各変速目標値に基づいて、制御操作量（エンジントルクＴe、ローギヤ段側クラッチトルクＴclow、ハイギヤ段側クラッチトルクＴchiの各要求値）が算出される。次いで、エンジン出力制御部７２及び変速制御部７４に対応するＳ５０において、上記Ｓ４０にて算出された各制御操作量が得られるように、エンジン出力制御指令信号Ｓe及び油圧指令信号Ｓpが出力されて、エンジン１２、解放側の係合装置、及び係合側の係合装置が制御される。【００３９】
図４において、例えばイナーシャ相中ではイナーシャトルクによって変速機出力トルクＴoが急変させられる可能性があるが、本実施例では、変速ショックの発生を抑制する為に、イナーシャ相中における変速機出力トルクＴoの目標値はイナーシャトルクが発生していないかのような目標値とされている。そして、その目標値を実現させるエンジントルクＴeの要求値が決定され、イナーシャトルクを相殺する為のエンジントルクダウン制御が実行される。このように、本実施例では、変速モデル制御の全体を崩すことなく、エンジン１２が制御対象として運動方程式に組み込まれる。【００４０】
上述のように、本実施例によれば、前記式（１）及び式（２）の運動方程式に何らかの拘束条件を設定しなければその式が解けないことに対して、トルク分担率ｘを拘束条件としたので、変速制御において難しいとされる係合装置のトルクの受け渡しを制御するのに適しており、且つその式を解くことができる。見方を換えれば、トルクの受け渡しを表現したトルク分担率ｘを拘束条件としたので、何れの変速パターンにも１つの変速モデルにて対応することができる。具体的には、変速進行度を制御するのに適したトルク分担率ｘを拘束条件とすることで、タイアップや吹き上がりの発生を抑制したり、反対に、敢えてタイアップや吹き上がりを発生させる制御の制御性が向上する。また、エンジントルクダウン制御を適切に実行することができる。このように、本実施例によれば、２つの変速目標値に対して３つの制御操作量があったとしても、変速モデルを用いて３つの制御操作量を適切に決定し、２つの変速目標値を実現するような自動変速機１８の所望の変速を実行することができる。【００４１】
また、本実施例によれば、前記式（１）及び式（２）の運動方程式と、前記式（３）及び式（４）の関係とを用いて、変速目標値に基づいて制御操作量を算出するので、変速制御において難しいとされるトルクの受け渡しに関連する制御を上記運動方程式に反映させることができ、３つの制御操作量を適切に決定することができる。【００４２】
次に、本発明の他の実施例を説明する。尚、以下の説明において実施例相互に共通する部分には同一の符号を付して説明を省略する。
【実施例２】
【００４３】
前述の実施例１では、図４のタイムチャートに示すように、エンジントルクダウン制御にてイナーシャトルク分を相殺できることを前提として、イナーシャ相中における変速機出力トルクＴoの目標値が定められている。ところで、変速パターン、変速段間、変速時の車速Ｖ、エンジン１２の状態等によっては、明らかにイナーシャトルクの一部分しか相殺できない場合が考えられる。その為、本実施例の変速目標値算出部８０は、このような場合には、エンジントルクダウン制御にてイナーシャトルクの一部分しか相殺できないことを前提として、イナーシャ相中における変速機出力トルクＴoの目標値を定める。その為、イナーシャ相中における変速機出力トルクＴoの目標値は、相殺できない分のイナーシャトルク分が加えられることになるので、イナーシャ相開始時或いはイナーシャ相終了時には大きく変化させられる。このとき、図４に示すように、係合装置のトルクの受け渡しの終了に伴って一方のクラッチトルク（ここでは、解放側のクラッチトルク）の要求値が零になっていると、制御操作量（クラッチトルクやエンジントルクの各要求値）に対する実際値の応答遅れやばらつき等により、実際の変速機出力トルクＴoや入力軸角加速度dωt/dtが目標値よりも急変したり、タービン回転速度ωtが吹き上がったりして変速ショックが増大する可能性がある。【００４４】
そこで、本実施例では、係合装置のトルクの受け渡しにおいてタイアップさせることで、上記急変や吹き上がりを抑制する。例えば、ローギヤ段側クラッチトルクＴclow及びハイギヤ段側クラッチトルクＴchiのうちの少なくとも一方のクラッチトルクを上昇させて変速機出力トルクＴoの変化を受け持たせることで、変速機出力トルクＴoの変化を緩和させる。以下に、このタイアップのさせ方の一例を説明する。前述の実施例１では、ローギヤ段係合装置のトルク分担率ｘlowとハイギヤ段係合装置のトルク分担率ｘhiとの合算は「１（＝ｘlow＋ｘhi）」であり、タイアップも吹き上がりも発生させないように設定した。これに対して、本実施例では、次式（５）及び次式（６）に示すように、トルク分担率ｘlow及びトルク分担率ｘhiの少なくとも一方のトルク分担率として、タイアップ度合α（タイアップ率α）分を加えたトルク分担率を用いる。
ｘlow ＝ ｘ＋α            ・・・（５）
ｘhi  ＝ (１−ｘ)＋α      ・・・（６）【００４５】
より具体的には、制御操作量算出部７６は、前記制御操作量を算出する関係式において、変速目標値算出部により算出された入力軸角加速度dωt/dtと変速機出力トルクＴoとの各目標値をそのまま用いる。制御操作量算出部７６は、タービントルクＴtの算出時には、上記関係式において、トルク分担率算出部７８により算出された係合装置のトルク分担率ｘをそのまま用いる。一方で、制御操作量算出部７６は、ローギヤ段側クラッチトルクＴclow及びハイギヤ段側クラッチトルクＴchiのうちでタイアップさせる為にクラッチトルクを上昇させる所定の係合装置のクラッチトルクの算出時には、上記関係式において、タイアップ度合α分を加えたトルク分担率ｘlow,ｘhi（前記式（５）,（６）参照）を用いる。タイアップを生じさせる際には、例えばイナーシャ相中を除き、実際の変速機出力トルクＴoに影響を与えないことが望ましい。つまり、クラッチトルクを増加させても、伝達トルクが増加しないことが望ましい。係合装置の両側の部材に差回転が生じていない状態であれば、クラッチトルクを増加させても伝達トルクは増加しない。その為、前記所定の係合装置は、例えばトルクの受け渡し開始時に差回転が生じていない状態にある係合装置である。【００４６】
ここで、本実施例は、エンジントルクダウン制御にてイナーシャトルクの一部分しか相殺できないことを前提とした変速機出力トルクＴoの目標値を定めた際に、その目標値に追従させるときの制御操作量に対する実際値の応答遅れやばらつき等によって変速ショックが増大する可能性があることを課題とするものである。その為、エンジントルクダウン制御時のトルクダウン量が少ない程、或いはそのトルクダウンの応答遅れが大きい程、上記課題が顕著になると考えられる。そこで、本実施例の制御操作量算出部７６は、自動変速機１８の変速時のイナーシャ相中におけるエンジントルクダウン制御時のトルクダウン量が少ない程、或いはそのトルクダウンの応答遅れが大きい程、所定の係合装置のクラッチトルクの算出に用いるタイアップ度合αを大きくする。【００４７】
本実施例でも、基本的には、前記図３のフローチャートに従って制御作動が実行される。本実施例では、所定の係合装置のクラッチトルクの算出にタイアップ度合α分を加えたトルク分担率が用いられる。図５は、図３のフローチャートに示す制御作動を実行した場合のタイムチャートであって、パワーオンアップシフト時にタイアップさせたときの一例である。【００４８】
図５において、破線は、各変速目標値であって、それら変速目標値を実現させる際の制御操作量であり、タイアップを実行しない場合の一例である。実線は、各変速目標値を変更しないまま、タイアップを実行した場合の一例である。イナーシャ相中では、エンジントルクダウン制御によって相殺できないイナーシャトルク分だけ変速機出力トルクＴoの目標値が上昇させられるので、イナーシャ相開始後に変速機出力トルクＴoの目標値が大きく変化させられる。これに対して、ここでの所定の係合装置としての解放側の係合装置のトルク分担率ｘlowには、タイアップ度合α分を加えたトルク分担率が用いられて、タイアップが生じさせられる。これにより、イナーシャ相開始後の実際の変速機出力トルクＴoや入力軸角加速度dωt/dtは、目標値よりも変化が緩められる。【００４９】
上述のように、本実施例によれば、前述の実施例１と同様の効果が得られることに加え、所定の係合装置のトルク容量の決定には、タイアップ度合α分を加えたトルク分担率が用いられて、係合装置のトルクの受け渡しがタイアップ側に制御されるので、そのトルクの受け渡しを滑らかにでき、所定の係合装置にてその急変する分を受け持つことができて、変速目標値が大きく切り替わるときに増大する可能性がある変速ショックが抑制される。【００５０】
また、本実施例によれば、前記所定の係合装置は、差回転が生じていない状態にある係合装置であるので、タイアップさせる為にクラッチトルクを増加させても、イナーシャ相中を除き、伝達トルクが増加しないすなわち実際の変速機出力トルクＴoには影響を与えない。【００５１】
また、本実施例によれば、イナーシャ相中におけるエンジン１２によるトルクダウン量が少ない程、或いはそのトルクダウンの応答遅れが大きい程、タイアップ度合αが大きくされるので、変速目標値が比較的大きく切り替わる程、或いは変速目標値の変化よりも実際値が急変し易い程、係合装置のトルクの受け渡しがよりタイアップ側に制御されて、変速ショックが一層適切に抑制される。
【実施例３】
【００５２】
前述の実施例２では、変速機出力トルクＴoの目標値に追従させると制御操作量の応答遅れやばらつき等によって変速ショックが増大する可能性があるという課題に対して、敢えて変速目標値に追従させない制御操作量を設定して、変速ショックを抑制している。つまり、前述の実施例２では、変速ショックが抑制されるような変速目標値を設定して、その変速目標値に追従させている訳ではない。これに対して、本来は、変速ショックが抑制されるような変速目標値を設定して、その変速目標値に追従させることが望ましい。【００５３】
前述の実施例２のようにタイアップ度合α分を加えたトルク分担率を用いると、「ｘlow＋ｘhi≠１」となり、制御操作量を算出する変速モデルが厳密には不成立となる。イナーシャ相中以外（例えば図５におけるイナーシャ相開始前）では、タイアップ度合α分は伝達トルクの増加として現れないので、変速モデルが不成立であっても、結果的に変速目標値を実現することができる。しかしながら、イナーシャ相中では、タイアップ度合α分が伝達トルクの増加として現れてしまうので、変速目標値を実現することができない。【００５４】
ここで、タイアップ度合α分を加える所定の係合装置では、トルクの受け渡しがイナーシャ相中以外であれば差回転が生じていない状態にあるが、イナーシャ相中では差回転がある方向に生じてトルクが発生する。そして、本実施例では、イナーシャ相中において、所定の係合装置が実際に発生できるトルク方向と、所定の係合装置のトルク分担率の符号とが一致していないことを見出した。【００５５】
そこで、本実施例では、制御操作量算出部７６は、イナーシャ相中では、所定の係合装置のトルク容量の決定に用いたタイアップ度合α分を加えたトルク分担率(ｘlow及びｘhiの一方)の符号を反転させた上で、所定の係合装置のクラッチトルクを算出する。加えて、制御操作量算出部７６は、イナーシャ相中では、所定の係合装置とは別の係合装置のトルク分担率(ｘlow及びｘhiの他方)を「ｘlow＋ｘhi＝１」が成立するように変更し、その変更したトルク分担率を用いて所定の係合装置とは別の係合装置のクラッチトルクを算出する。【００５６】
本実施例でも、基本的には、前記図３のフローチャートに従って制御作動が実行される。本実施例では、所定の係合装置のクラッチトルクの算出にタイアップ度合α分を加えたトルク分担率が用いられると共に、イナーシャ相中ではその所定の係合装置のトルク分担率の符号が反転させられる。図６は、図３のフローチャートに示す制御作動を実行した場合のタイムチャートであって、パワーオンアップシフト時にタイアップさせ且つイナーシャ相中に所定の係合装置のトルク分担率の符号を反転させたときの一例である。【００５７】
図６において、破線は、トルク分担率ｘlowの符号をイナーシャ相中で反転させないときの実際値であり、例えば図５における実線に相当する。実線は、各変速目標値を示していると共に、本実施例での実際値の一例である。イナーシャ相開始時に、所定の係合装置としての解放側の係合装置のトルク分担率ｘlowの符号が反転させられると共に、係合側の係合装置のトルク分担率ｘhiが「ｘlow＋ｘhi＝１」を満足するように変更される。これにより、イナーシャ相開始後も変速目標値に実際値が追従させられる。従って、変速ショックを抑制するような変速目標値を設定すれば、その変速目標値が実現される制御操作量にて変速制御が実行される。【００５８】
上述のように、本実施例によれば、前述の実施例２と同様の効果が得られることに加え、イナーシャ相中は所定の係合装置にて実際に発生できるトルク方向に合致させるようにトルク分担率の符号を反転させるので、トルクの受け渡しを滑らかにしつつ、実際のイナーシャ相中にも変速目標値を成立させる制御操作量を決定することができ、任意の変速挙動を実現できる。
【実施例４】
【００５９】
前述の実施例２，３では、タイアップ度合α分を加えたトルク分担率を用いることで、係合装置のトルクの受け渡しを滑らかにした。ところで、本実施例の車両１０は、公知の変速マップに従って自動変速機１８を変速する自動変速モードと運転者による変速操作により自動変速機１８を変速することが可能な公知の手動変速モードとの間で自動変速機１８の変速モードを切り替えることが可能である。このような手動変速モードでの変速では、運転者は変速ショックを伴う変速感を望む場合がある。しかしながら、手動変速モードでの変速時にも、自動変速モードでの変速時と同様のタイアップ度合α分を加えたトルク分担率を用いると、変速ショックを伴う変速感を演出できない可能性がある。そこで、本実施例では、手動変速モードでの変速時は、上記タイアップ度合αを、自動変速モードでの変速時よりも小さくする。【００６０】
図７は、電子制御装置７０の制御作動の要部すなわち自動変速機１８の変速モードに適したトルク分担率にて変速を適切に実行する為の制御作動を説明するフローチャートであり、例えば数ｍｓｅｃ乃至数十ｍｓｅｃ程度の極めて短いサイクルタイムで繰り返し実行される。【００６１】
図７において、先ず、変速制御部７４に対応するＳＢ１０において、例えばシフトセンサ６０により検出されたシフト操作ＳＨに基づいて、現在の車両状態が手動変速モード（マニュアルレンジ）とされているか否かが判定される。このＳＢ１０の判断が肯定される場合は制御操作量算出部７６に対応するＳＢ２０において、例えばタイアップ度合αが「０」に設定される。一方で、このＳＢ１０の判断が否定される場合は制御操作量算出部７６に対応するＳＢ３０において、例えばタイアップ度合αが「0.1」に設定される。上記ＳＢ２０或いは上記ＳＢ３０に次いで、制御操作量算出部７６（トルク分担率算出部７８も同意）に対応するＳＢ４０において、係合装置のトルク分担率（ｘ，ｘlow，ｘhi）が算出される（前記式（５）,（６）参照）。尚、上記ＳＢ２０で設定されるタイアップ度合αは、「０」でなくても良く、例えば上記ＳＢ３０で設定されるタイアップ度合αよりも小さければ良い。【００６２】
上述のように、本実施例によれば、前述の実施例２，３と同様の効果が得られることに加え、変速ショックを意図的に発生させることができ、変速感を演出することができる。
【実施例５】
【００６３】
前述の実施例１−４では、自動変速機１８の係合装置は、油圧式の摩擦係合装置を前提としている。ところで、本実施例の自動変速機１８は、例えば少なくとも１つのブレーキと並列に公知のワンウェイクラッチが設けられている。このようなワンウェイクラッチは、油圧式の摩擦係合装置と異なり、クラッチトルクを制御することができない。そうすると、ワンウェイクラッチの係合或いは解放が関与する変速のイナーシャ相中では、このワンウェイクラッチがトルク容量を持つことができず、変速目標値を実現することができない。そこで、本実施例では、ワンウェイクラッチの係合或いは解放が関与する変速のイナーシャ相中では、ワンウェイクラッチのトルク分担率(ｘlow及びｘhiの一方)を「０」に設定し、ワンウェイクラッチでない係合装置のトルク分担率(ｘlow及びｘhiの他方)を「１」に設定する。【００６４】
図８は、電子制御装置７０の制御作動の要部すなわちワンウェイクラッチの係合或いは解放が関与する変速を適切に実行する為の制御作動を説明するフローチャートであり、例えば数ｍｓｅｃ乃至数十ｍｓｅｃ程度の極めて短いサイクルタイムで繰り返し実行される。【００６５】
図８において、先ず、変速制御部７４に対応するＳＣ１０において、例えばどのギヤ段間の変速であるかに基づいて、変速に関与する係合装置がワンウェイクラッチであるか否かが判定される。このＳＣ１０の判断が肯定される場合は変速制御部７４に対応するＳＣ２０において、例えば現在の変速においてイナーシャ相中であるか否かが判定される。上記ＳＣ１０及び上記ＳＣ２０の何れかの判断が否定される場合は本ルーチンが終了させられるが、上記ＳＣ２０の判断が肯定される場合は制御操作量算出部７６（トルク分担率算出部７８も同意）に対応するＳＣ３０において、ワンウェイクラッチのトルク分担率(例えばｘlow)が「０」に設定されると共に、ワンウェイクラッチでない係合装置のトルク分担率(例えばｘhi)が「１」に設定される。尚、ギヤ段を形成する係合装置としてワンウェイクラッチが設けられる場合には、この図８のフローチャートを実行したが、これに替えて、例えば図３のフローチャートに従って制御操作量を算出し、ワンウェイクラッチに対してはその制御操作量に基づく指令値を出力しないようにしても良い。【００６６】
上述のように、本実施例によれば、前述の実施例１−４と同様の効果が得られることに加え、ワンウェイクラッチの係合或いは解放が関与する変速のイナーシャ相中においても、係合装置のトルク分担率が「ｘlow＋ｘhi＝１」を満足するので、変速目標値を成立させる制御操作量を一意に決定することができ、任意の変速挙動を実現できる。【００６７】
以上、本発明の実施例を図面に基づいて詳細に説明したが、その他の態様においても適用される。【００６８】
例えば、前述の実施例において、各実施例が独立して実施されているが、上記各実施例は必ずしも独立して実施する必要はなく、適宜組み合わせて実施しても構わない。【００６９】
また、前述の実施例では、出力軸２０側の回転部材として出力軸２０を例示したが、これに限らず、出力軸２０側の回転部材は、出力軸２０から駆動輪２６までの動力伝達経路における回転部材であれば良い。入力軸１６側の回転部材として入力軸１６を例示したが、これに限らず、入力軸１６側の回転部材は、エンジン１２から入力軸１６までの動力伝達経路における回転部材であれば良い。【００７０】
また、前述の実施例２，３では、変速機出力トルクＴoの目標値がイナーシャ相開始時或いはイナーシャ相終了時に大きく変化させられる場合として、エンジントルクダウン制御にてイナーシャトルクの一部分しか相殺できない場合を例示したが、これに限らない。要は、イナーシャ相開始時或いはイナーシャ相終了時に大きく変化させられるように変速機出力トルクＴoの目標値が設定される場合であれば、本発明は適用され得る。【００７１】
尚、上述したのはあくまでも一実施形態であり、本発明は当業者の知識に基づいて種々の変更、改良を加えた態様で実施することができる。
【符号の説明】
【００７２】
１０：車両
１２：エンジン（駆動力源）
１６：入力軸
１８：自動変速機
２０：出力軸
２６：駆動輪
７０：電子制御装置（変速制御装置）
Ｂ１，Ｂ２：ブレーキ（係合装置）
Ｃ１：クラッチ（係合装置）
【図１】
2014020685.tif 000004
【図２】
2014020685.tif 000005
【図３】
2014020685.tif 000006
【図４】
2014020685.tif 000007
【図５】
2014020685.tif 000008
【図６】
2014020685.tif 000009
【図７】
2014020685.tif 000010
【図８】
2014020685.tif 000011
【手続補正書】
【提出日】平成28年3月7日(2016.3.7)
【手続補正１】
【補正対象書類名】特許請求の範囲
【補正対象項目名】全文
【補正方法】変更
【補正の内容】
【特許請求の範囲】
【請求項１】
駆動力源からの動力を受ける入力軸と駆動輪に動力を伝達する出力軸との間で回転とトルクとを伝達する複数の係合装置を有して、該係合装置の係合と解放との切替えによって変速が実行される自動変速機を備え、変速目標値を実現させる制御操作量を決定する予め定められた変速モデルを用いて前記自動変速機の変速を実行する車両の変速制御装置であって、
前記変速目標値として、前記出力軸側の回転部材上のトルクと、前記入力軸側の回転部材の速度変化量との２つの値を設定し、
前記制御操作量として、前記入力軸側の回転部材上のトルクと、前記変速時における係合側の係合装置のトルク容量と、前記変速時における解放側の係合装置のトルク容量との３つの値を設定し、
前記変速時に前記係合側の係合装置と前記解放側の係合装置とで受け持つ伝達トルクのトルク分担率を設定することで、
前記変速モデルを用いて前記自動変速機の変速を実行することを特徴とする車両の変速制御装置。
【請求項２】
前記変速モデルは、前記変速目標値と前記制御操作量とを含む前記自動変速機の運動方程式と、前記トルク分担率を表す関係とを用いて、前記変速目標値に基づいて前記制御操作量を算出するものであることを特徴とする請求項１に記載の車両の変速制御装置。
【請求項３】
前記係合側の係合装置及び前記解放側の係合装置のうちの所定の係合装置のトルク容量の決定には、前記トルク分担率として、前記変速時における係合側の係合装置のトルク容量と前記変速時における解放側の係合装置のトルク容量との間のタイアップ度合分を加えたトルク分担率を用いることを特徴とする請求項１又は２に記載の車両の変速制御装置。
【請求項４】
前記所定の係合装置は、差回転が生じていない状態にある係合装置であることを特徴とする請求項３に記載の車両の変速制御装置。
【請求項５】
前記自動変速機の変速時のイナーシャ相中における前記駆動力源によるトルクダウン量が少ない程、或いは該トルクダウンの応答遅れが大きい程、前記タイアップ度合を大きくすることを特徴とする請求項３又は４に記載の車両の変速制御装置。
【請求項６】
イナーシャ相中は、前記所定の係合装置のトルク容量の決定に用いた前記タイアップ度合分を加えたトルク分担率の符号を反転させた上で、前記変速モデルを用いて前記自動変速機の変速を実行することを特徴とする請求項３乃至５の何れか１項に記載の車両の変速制御装置。
【手続補正２】
【補正対象書類名】明細書
【補正対象項目名】０００６
【補正方法】変更
【補正の内容】
【０００６】
前記目的を達成する為の第１の発明の要旨とするところは、(a) 駆動力源からの動力を受ける入力軸と駆動輪に動力を伝達する出力軸との間で回転とトルクとを伝達する複数の係合装置を有して、その係合装置の係合と解放との切替えによって変速が実行される自動変速機を備え、変速目標値を実現させる制御操作量を決定する予め定められた変速モデルを用いて前記自動変速機の変速を実行する車両の変速制御装置であって、(b) 前記変速目標値として、前記出力軸側の回転部材上のトルクと、前記入力軸側の回転部材の速度変化量との２つの値を設定し、(c) 前記制御操作量として、前記入力軸側の回転部材上のトルクと、前記変速時における係合側の係合装置のトルク容量と、前記変速時における解放側の係合装置のトルク容量との３つの値を設定し、(d) 前記変速時に前記係合側の係合装置と前記解放側の係合装置とで受け持つ伝達トルクのトルク分担率を設定することで、(e) 前記変速モデルを用いて前記自動変速機の変速を実行することにある。上記トルク分担率は、前記変速時に前記係合側の係合装置と前記解放側の係合装置とで受け持つ伝達トルクを前記入力軸側の回転部材上のトルクに置き換えたときの両係合装置にて分担するその伝達トルクのトルク分担率である。
【手続補正３】
【補正対象書類名】明細書
【補正対象項目名】０００９
【補正方法】変更
【補正の内容】
【０００９】
また、第３の発明は、前記第１の発明又は第２の発明に記載の車両の変速制御装置において、前記係合側の係合装置及び前記解放側の係合装置のうちの所定の係合装置のトルク容量の決定には、前記トルク分担率として、前記変速時における係合側の係合装置のトルク容量と前記変速時における解放側の係合装置のトルク容量との間のタイアップ度合分を加えたトルク分担率を用いることにある。このようにすれば、変速中のイナーシャ相の開始時や終了時などのように変速目標値が大きく切り替わるときに、解放側の係合装置及び係合側の係合装置のうちの一方の係合装置のトルク容量の制御操作量が零になっていると、制御操作量に対する実際のトルク容量の応答遅れやばらつき等により実際の出力軸側の回転部材上のトルクや入力軸側の回転部材の速度変化が変速目標値の変化よりも急変して変速ショックが増大する可能性があることに対して、上記トルクの受け渡しをタイアップ側に制御することで、そのトルクの受け渡しを滑らかにでき、所定の係合装置にてその急変する分を受け持つことができて、変速目標値が大きく切り替わるときに増大する可能性がある変速ショックを抑制することができる。
【国際調査報告】
2014020685.tif 000012
2014020685.tif 000013